(57)【特許請求の範囲】
【請求項１】
下方開口の吸込室と、前記吸込室内に回転自在に配備された回転ブラシと、前記回転ブラシを回転駆動させる駆動源とを備え、前記回転ブラシを略棒状の基材と、前記基材の外周に取着された毛ブラシと、弾性材料から形成されかつ前記毛ブラシの反回転方向に設けられ前記毛ブラシの倒れ量を規制させる補助ブレードで形成し、前記毛ブラシは、回転により被清掃面に接触してある程度変形すると前記補助ブレードの先端に当接し、その後、前記補助ブレードの先端が当接した位置から先端にかけてのみ屈曲するように構成した電気掃除機用吸込具。
【請求項２】
後部に電動送風機を配した電動送風機室と、前部には塵埃を集塵する集塵袋を配置した集塵室と、前記集塵室と外気を連通させる集塵口形成する本体ケース下と、前記電動送風機室を覆う本体ケース上と、前記集塵室の上方開口部を覆う蓋体からなる電気掃除機本体に請求項１記載の電気掃除機用吸込具を集塵口に連通するように接続可能とした電気掃除機。
【発明の詳細な説明】
【０００１】
【発明の属する技術分野】
本発明は、集塵性能の向上および軽快な操作感を得ることを図った電気掃除機用吸込具および電気掃除機に関するものである。
【０００２】
【従来の技術】
従来、特開平７−８４２５にあるような電気掃除機用吸込具があり、これを図１７〜図２０を用いて説明する。
【０００３】
６０は吸込具本体で、上部材２と下部材３の間に軟性材で形成された緩衝材であるバンパー４を介して構成したものである。また、吸込具本体６０の略中央には、上部材２と下部材３に回動自在に狭持されているアーム５が有り、アーム５には電気掃除機（図示せず）に接続されるパイプ６が回転自在に設けられている。アーム５からパイプ６には一連の連通孔があり、この連通孔を塵埃が通過して電気掃除機（図示せず）に集塵される。
【０００４】
吸込具本体６０の前方には、下方開口の塵埃を吸引する入り口である吸込室１２があり、吸込室１２内部には被掃除面上に存在する塵埃をかき上げる回転ブラシ６１が回転自在に設けられている。また、吸込室１２と前記アーム５およびパイプ６を連通する吸込口７が設けられている。
【０００５】
また、吸込具本体６０の後方には、アーム５により左右に分断された部屋状の空間が設けられ、その一方に回転ブラシ６１を回転させるため駆動装置であるモーター１０が設けられている駆動室８がある。また、モーター１０を制御するための制御回路１１は、駆動室８と対の方向にある制御室９に設けられている。また、モーター１０の駆動力が伝達されることで、回転ブラシ６１を回転駆動させている。
【０００６】
モーター１０によって回転駆動される回転ブラシ６１は、図２０に示されるように回転ブラシ６１の回転軸中心部を構成する棒状の基材６４と、基材６４の外周に螺旋状に設けられた溝６９を備えている。前記溝６９は、基材６４の外周面に向かって開口してある。前記溝６９に沿って被掃除面上の塵埃を収集する一連の毛ブラシ６５を基材６４に植毛してある。被掃除面上の塵埃を収集するブレード６６の一方端面には、溝６９に嵌合挿入される基体７０がある。また、ブレード６６は、前記基体７０から基材６４の外方向に向かって突出させる様に伸ばして設けた帯状体のフィン６７が構成されており、更に、フィン６７の先端６８は、毛ブラシ６５に近接するように曲折して設けられている。
【０００７】
基材６４の一方の端部には、モーター１０の回転駆動を伝達するためのギアが設けられた台座であるプーリーダイ６３が圧入して固定されている。また、プーリーダイ６３の端部には、回転ブラシ６１が吸込室１２内において自在に回転出来るように軸支する軸受ａ６２が設けられている。同様に、基材６４の他端にも、回転ブラシ６１が自在に回転するように軸支する軸受ｂ７２が設けられ、軸受ｂ７２を軸支する台座として、軸受支え７１がプーリーダイ６３の逆端に設けられている。
【０００８】
また、他の従来例を図２１を用いて説明する。なお上記の従来例と同一構成部品については同一符号を付して、その説明を省略する。
【０００９】
７３は被掃除面上にて回転駆動されることで拭き掃除や塵埃を剥離させて収集する回転ブラシで、回転ブラシ７３の回転軸中心部として直棒状の基材７４が設けられている。基材７４には長手方向に向かって真っ直ぐに伸びる複数個の溝６９が設けられている。
【００１０】
前記溝６９により分割された基材７４の外周に全周に渡って植設された毛ブラシ６５が設けられている。６６はブレードであり、一方端面には基体７０を、逆端にはフィン状に設けられたフィン６７が設けられており、フィン６７の先端部６８は毛ブラシ６５の全高より低くして設けて有る。
【００１１】
上記のように構成された回転ブラシ６１を備えた吸込具本体６０で、回転ブラシ６１を回転させながら被掃除面上を清掃作業を行う。このとき、毛ブラシ６５に先行するブレード６６を基材６４の外方にへ突出しているフィン６７の先端６８と毛ブラシ６５との隙間が小さくなっているので糸くず等の長い繊維塵埃が毛ブラシ６５に食い込んだり、基材６４に絡みつくことを防げる。
【００１２】
また、回転ブラシ６１が回転して、ブレード６６が毛ブラシ６５に先行する関係にあるものにおいて、フィン６７は回転方向に対して遠心ファンにおけるバックベーンのごとく回転ブラシ６１が回転するときの空気抵抗が少なくなるように働く。そのため、回転ブラシ６１が高速で回転しても振動を抑えることが出来るため、騒音が低くできる。
【００１３】
【発明が解決しようとする課題】
上記のような、従来の電気掃除機用吸込具にあっては、回転ブラシ６１に巻き付く長い繊維塵埃の巻き付き防止や回転ブラシ６１の回転時の空気抵抗の軽減等を行うためにブレード６６上に、屈曲するフィン６７を設けたために、じゅうたん上にブレード６６が接触したときにブレード６６のフィン６７が遠心力で広がったとしても、フィン６７が毛ブラシ６５に対して先行して当接するように屈曲させているために、フィン６７の先端はじゅうたん上をなめる様に当たる。
【００１４】
じゅうたんに当接する前は、ブレード６６は、ブレード６６が基材６４の溝に対して垂直に立ったものである。じゅうたん上にブレード６６が当たると、ブレード６６はじゅうたん表面上では前記フィン６７の様に屈曲した形状に変形するが、ブレードは変形しただけで元の溝に垂直に立った形状に戻ろうとする力が働く。回転ブラシ６１は回転しているので、じゅうたん面に当たっているブレード６６は、じゅうたん面と離れる瞬間があり、そのときブレード６６が屈曲して変形から戻ろうとしている力が、じゅうたん面を回転ブラシ６１の回転力と一緒にかき揚げることになる。
【００１５】
以上より、屈曲したフィン６７を持つブレード６６は、溝に垂直に立ったブレード６６に比べ、じゅうたん面をかき揚げる力が弱いために、じゅうたん等のパイル状被掃除面上から塵埃を剥離させる効果が弱くなり、集塵性能が低くなることがあった。
【００１６】
また、吸込具本体６０に対して回転ブラシ６１を前方から後方に向かって正回転させたときに、特にパイル状被掃除面において回転ブラシ６１により、パイルを前方から後方に向かってかき揚げる力が無いために、吸込具本体６０を被掃除面において操作するときに必要な力を低減させる自走機構として利用できないものであった。
【００１７】
本発明は、以上のような従来の問題を解決しようとするものであって、集塵性能が高く、掃除作業が効率的に行えて、且つ、パイル状被掃除面において軽快な操作感を得る電気掃除機用吸込具および電気掃除機を提供することを目的としている。
【００１８】
【課題を解決するための手段】
上記問題を解決するために本発明は、下方開口の吸込室と、前記吸込室内に回転自在に配備された回転ブラシと、前記回転ブラシを回転駆動させる駆動源とを備え、前記回転ブラシを略棒状の基材と、前記基材の外周に取着された毛ブラシと、弾性材料から形成されかつ前記毛ブラシの反回転方向に設けられ前記毛ブラシの倒れ量を規制させる補助ブレードで形成し、前記毛ブラシは、回転により被清掃面に接触してある程度変形すると前記補助ブレードの先端に当接し、その後、前記補助ブレードの先端が当接した位置から先端にかけてのみ屈曲するように構成したことを特徴とした。
【００１９】
これにより、フロアー上において毛ブラシによる拭き効果で、回転ブラシを回転させながらフロアー上を清掃作業できて、じゅうたん等のパイル状被掃除面を清掃作業を行うために回転ブラシを回転させると、パイル面に毛ブラシが当たり、最初は毛ブラシの根元部から屈曲して変形するが、毛ブラシがある程度変形すると補助ブレードの先端が毛ブラシに当接する。これにより毛ブラシは、補助ブレードの先端が当接した位置から先端にかけてのみ屈曲することになり、毛ブラシが屈曲した形状から元の形状に復帰する時間が早くなり、毛ブラシの屈曲に対する剛性力が見かけ上で向上し、パイル面をより強い力でかき揚げる。これにより、吸込具本体を前方に押した方向に対して、回転ブラシの回転方向が同一方向に正回転するときに、特にパイル状被掃除面において吸込具本体を操作すると、剛性力が向上した毛ブラシが、パイルを前方から後方に力強く押しやることが出来るので、吸込具本体が前方に自走させる効果を生み、パイル状被掃除面上を軽快に操作出来ることになる。また、パイル面を強く押しやることは、パイル面に付着した塵埃を剥離させる力となるため、集塵性能が向上することができる。
【００２０】
よって、毛ブラシを備えた回転ブラシでありながら、フロアー上はもちろんのこと、パイル面においても集塵性の良い吸込具本体となる。
【００２１】
【発明の実施の形態】
本発明の請求項１記載の発明は、
上記問題を解決するために本発明は、下方開口の吸込室と、前記吸込室内に回転自在に配備された回転ブラシと、前記回転ブラシを回転駆動させる駆動源とを備え、前記回転ブラシを略棒状の基材と、前記基材の外周に取着された毛ブラシと、弾性材料から形成されかつ前記毛ブラシの反回転方向に設けられ前記毛ブラシの倒れ量を規制させる補助ブレードで形成し、前記毛ブラシは、回転により被清掃面に接触してある程度変形すると前記補助ブレードの先端に当接し、その後、前記補助ブレードの先端が当接した位置から先端にかけてのみ屈曲するように構成したことを特徴とした。
【００２２】
これにより、フロアー上において毛ブラシによる拭き効果で、回転ブラシを回転させながらフロアー上を清掃作業できて、じゅうたん等のパイル状被掃除面を清掃作業を行うために回転ブラシを回転させると、パイル面に毛ブラシが当たり、最初は毛ブラシの根元部から屈曲して変形するが、毛ブラシがある程度変形すると補助ブレードの先端が毛ブラシに当接する。これにより毛ブラシは、補助ブレードの先端が当接した位置から先端にかけてのみ屈曲することになり、毛ブラシが屈曲した形状から元の形状に復帰する時間が早くなり、毛ブラシの屈曲に対する剛性力が見かけ上で向上し、パイル面をより強い力でかき揚げる。これにより、吸込具本体を前方に押した方向に対して、回転ブラシの回転方向が同一方向に正回転するときに、特にパイル状被掃除面において吸込具本体を操作すると、剛性力が向上した毛ブラシが、パイルを前方から後方に力強く押しやることが出来るので、吸込具本体が前方に自走させる効果を生み、パイル状被掃除面上を軽快に操作出来ることになる。また、パイル面を強く押しやることは、パイル面に付着した塵埃を剥離させる力となるため、集塵性能が向上することができる。
【００２３】
よって、毛ブラシを備えた回転ブラシでありながら、フロアー上はもちろんのこと、パイル面においても集塵性の良い吸込具本体となる。
【００２４】
また、補助ブレードの先端と毛ブラシの側面との隙間が小さく設定していることで、従来の効果にもあるように、毛ブラシや基材の根元部分に侵入してくる長い繊維塵埃を防ぎ、回転ブラシ自体に長い繊維塵埃を巻き付きづらくすることが出来る。
【００２５】
請求項２記載の発明は、後部に電動送風機を配した電動送風機室と、前部には塵埃を集塵する集塵袋を配置した集塵室と、前記集塵室と外気を連通させる集塵口を形成する本体ケース下と、前記電動送風機室を覆う本体ケース上と、前記集塵室の上方開口部を覆う蓋体からなる電気掃除機本体に請求項１記載の電気掃除機用吸込具を設けたので、被掃除面を選ばず集塵性および軽快な清掃作業の行えるものである。
【００２６】
【実施例】
（実施例１）
以下、本発明の第１の実施例を、図１〜図６を用いて説明する。
【００２７】
１は吸込具本体で、上部材２と下部材３の間に軟性材で形成された緩衝材であるバンパー４を介して構成したものである。また、吸込具本体１の略中央には、上部材２と下部材３に回動自在に狭持されているアーム５が有り、アーム５には電気掃除機（図示せず）に接続されるパイプ６が回転自在に設けられている。アーム５からパイプ６には一連の連通孔７８があり、この連通孔７８を塵埃が通過して電気掃除機（図示せず）に集塵される。
【００２８】
吸込具本体１の前方には、下方開口の塵埃を吸引する入り口である吸込室１２があり、吸込室１２内部には被掃除面上に存在する塵埃を収集する目的の回転ブラシ１３が回転自在に設けられている。また、吸込室１２と前記アーム５およびパイプ６を連通する吸込口７が設けられている。
【００２９】
また、吸込具本体１の後方には、アーム５により左右に分断された部屋状の空間が設けられ、その一方に回転ブラシ１３を回転させるため駆動装置であるモーター１０が設けられている駆動室８がある。また、モーター１０を制御するための制御回路１１は、駆動室８と対の方向にある制御室９に設けられている。また、モーター１０の駆動力が伝達されることで、回転ブラシ１３を回転駆動させている。
【００３０】
モーター１０によって回転駆動される回転ブラシ１３において、回転ブラシ１３の回転中心軸として略棒状の基材２１がある。基材２１の表面には、基材２１の表面に向かって開口する正数倍の数の溝帯７５が長手方向に設けられ、基材２１は溝帯７５共に螺旋状に捻られている。
【００３１】
また、フロアー上などで拭き機能の役割を持つ毛ブラシ１８とじゅうたんパイル上から塵埃を剥離させる機能の役割を持つ周ブレード１７とが交互に基材２１に設けられるように、前記毛ブラシ１８と前記周ブレード１７の一方の端部を溝帯７５に差し通し、基材２１に固定する基体７６が設けられている。更に前記回転ブラシ１３の回転方向に対して少なくとも前記周ブレード１７の回転方向に対する前面部分と隣接する前記毛ブラシ１８の後面の間に挟まれる基材２１の表面部に接着固定された補助ブレード１６が、前記毛ブラシ１８の後面に向かって伸びるように設けてある。
【００３２】
基材２１の一方の端部には、ベルト（図示せず）を介してモーター１０の回転駆動を伝達するためのギアが設けられた台座であるプーリーダイ１５が圧入固定されている。また、プーリーダイ１５の端部には、回転ブラシ１３が吸込室１２内において自在に回転出来るように軸支する軸受ａ１４が設けられている。同様に、基材２１の他端にも、回転ブラシ１３が自在に回転するように軸支する軸受ｂ２０が設けられ、軸受ｂ２０を軸支する台座として、軸受支え１９がプーリーダイ１５の逆端に設けられている。
【００３３】
上記構成による作用は以下の通りである。
【００３４】
フロアー上において毛ブラシ１８による拭き効果で、回転ブラシ１３を回転させながらフロアー上を清掃作業できる。
【００３５】
また、じゅうたん等のパイル状被掃除面を清掃作業を行うために回転ブラシ１３を回転させると、パイル面に毛ブラシ１８が当たり、最初は毛ブラシ１８の根元部から屈曲して変形するが、毛ブラシ１８がある程度変形すると補助ブレード１６の先端が毛ブラシ１８に当接する。これにより毛ブラシ１８は、補助ブレード１６の先端が当接した位置から先端にかけてのみ屈曲することになり、毛ブラシ１８が屈曲した形状から元の形状に復帰する時間が早くなり、毛ブラシ１８の屈曲に対する剛性力が見かけ上で向上し、パイル面をより強い力でかき揚げる。
【００３６】
また、周ブレード１７の場合は、パイル上に当たって一旦屈曲変形し、周ブレード１７が元の垂直に立った形状に戻ろうとして働く力と回転ブラシ１３の回転力とで、パイル面をかき揚げる。
【００３７】
以上、前述の毛ブラシ１８と周ブレード１７の働きにより、吸込具本体１を前方に押した方向に対して、回転ブラシ１３の回転方向が同一方向に正回転するときに、特にパイル状被掃除面において吸込具本体１を操作すると、剛性力が向上した毛ブラシ１８と周ブレード１７が各々交互に、パイルを前方から後方に力強く押しやることが出来るので、吸込具本体１が前方に自走する効果を生み、パイル状被掃除面上を軽快に操作出来ることになる。
【００３８】
また、パイル面を強く押しやることは、パイル面に付着した塵埃を剥離させる力となるため、集塵性能が向上することができる。
【００３９】
よって、毛ブラシ１８と周ブレード１７を備えた回転ブラシ１３でありながら、フロアー上はもちろんのこと、パイル面においても集塵性の優れたものができる。
【００４０】
また、補助ブレード１６の先端と毛ブラシ１８の側面との隙間が小さく設定していることで、従来の技術の効果にもあるように、毛ブラシ１８や基材２１の根元部分に長い繊維塵埃が侵入するのを防ぎ、回転ブラシ１３自体に長い繊維塵埃を巻き付きづらくすることが出来る。
【００４１】
（実施例２）
次に本発明の第２の実施例を図７を用いて説明する。なお上記第１の実施例と同一構成部品については同一符号を付して、その説明を省略する。
【００４２】
補助ブレード２３を、基材２１の外周に沿って伸びる接続体７７を介して周ブレード２２と一体的に形成したものである。そして、基材２１に設けられた溝体７５に、周ブレード２２と毛ブラシ１８が各々の一方端に設けた基体７６を差し通して固定してある。
【００４３】
上記構成による効果は以下の通りである。
【００４４】
基材２１と周ブレード２２に接合部する部分から補助ブレード２３を繋ぐための接続体７７が基材２１を覆うように形成されたことで、ネジやピンなど固形物を集塵させたときに、周ブレード２２によってはね上げられるようにかき揚げられた固形物は、基材２１に向かってはね上げられる。このときに、固形物は接続体７７に当たることになり、直接基材２１や周ブレード２２の基体７６の近辺を保護する効果がある。接続体７７により基材２１や周ブレード２２が保護されることで、回転ブラシ２４の耐久性が向上され、より過酷な使用環境に耐え得ることが出来る。
【００４５】
また、周ブレード２２を基材２１に取り付けたときに補助ブレード２３も共に取り付けられるため、回転ブラシ２４を生産する際の時間短縮および部品の製造において一体で作り出せるために費用の削減ができるものである。
【００４６】
（実施例３）
次に本発明の第３の実施例を図８を用いて説明する。なお上記第１または第２の実施例と同一構成部品については同一符号を付して、その説明を省略する。
【００４７】
モーター１０にて回転駆動され、被掃除面上の塵埃を集塵する回転ブラシ２７には、基材２１に設けられた溝体７５に、じゅうたんパイル上から塵埃を剥離させる機能の役割を持つ周ブレード２５とフロアー上などで拭き機能の役割を持つ毛ブラシ１８が各々の一方端に設けた基体７６を差し通して固定してある。
【００４８】
前記回転ブラシ２７の回転方向に対して前記周ブレード２５の前面および後面には、毛ブラシ１８に向かって伸びるリブ状の補助ブレード２６が突出されて形成されており、前記周ブレード２５と前記補助ブレード２６の断面形状が略十文字に形成されている。
【００４９】
上記構成による効果は以下の通りである。
【００５０】
周ブレード２５の後面に設けた補助ブレード２６により、周ブレード２５が被掃除面に当たり屈曲して変形したときに、ある程度変形すると後面の補助ブレード２６が基材２１に当たり、周ブレード２６の変形量を規制する。そのため、毛ブラシ１８を補助ブレード２６を当接することで剛性力を強化したときと同様の効果を得られ、周ブレード２６の剛性力を強化できる。
【００５１】
これにより、周ブレード２６による、特にパイル状被掃除面によるかき揚げ力の強化および周ブレード２６の剛性を落とし、粘着性を高める材料を使用することで、より微細な塵埃を集塵出来るようにしても、かき揚げ力を落とすこと無く、軽快な操作感および集塵性の向上が行えるものである。
【００５２】
（実施例４）
次に本発明の第４の実施例を図９を用いて説明する。なお上記第１〜３の実施例と同一構成部品については同一符号を付して、その説明を省略する。
【００５３】
モーター１０にて回転駆動され、被掃除面上の塵埃を集塵する回転ブラシ３３には、基材２１に設けられた溝体７５に、じゅうたんパイル上から塵埃を剥離させる機能の役割を持つ周ブレード２８とフロアー上などで拭き機能の役割を持つ毛ブラシ１８が各々の一方端に設けた基体７６を差し通して固定してある。
【００５４】
前記周ブレード２８の長手方向に対する前面および後面に十文字状になるように設けられた補助ブレード２９がある。
【００５５】
前記補助ブレード２９と前記基材２１との間に空間部ｂが形成されるように前記基材２１と前記周ブレード２８の接合する根元部と空間を開けて前記補助ブレード２９を設けた。また、毛ブラシ１８と周ブレード２８、補助ブレード２９、被掃除面で囲まれる空間を空間部ａとした。
【００５６】
上記構成による作用は以下の通りである。
【００５７】
被掃除面において、空間部ａの断面積は、補助ブレード２９が無いときに比較し、縮小する事が出来る。このため、回転している回転ブラシにおいて、空間部ａ内の空気は一定間隔で、被掃除面に触れているときに密閉され、被掃除面から離れるとき開放されることが繰り返される。これにより、空間部ａの断面積が大きいと密閉される空気量は多く、密閉・開放を繰り返されることによって回転ブラシ３３に振動を与えるために唸り音を発生させる。よって、毛ブラシ１８と周ブレード２８、補助ブレード２９、被掃除面で囲まれる空間部ａの断面積を縮小することで、密閉・開放される空気量を低減させて、回転ブラシ３３の振動を抑え、フロアー上において回転ブラシ３３を回転させても極めて低い騒音に抑えることが出来るものである。
【００５８】
（実施例５）
次に本発明の第５の実施例を図１０を用いて説明する。なお上記第１〜４の実施例と同一構成部品については同一符号を付して、その説明を省略する。
【００５９】
モーター１０にて回転駆動され、被掃除面上の塵埃を集塵する回転ブラシ３６には、基材２１に設けられた溝体７５に、じゅうたんパイル上から塵埃を剥離させる機能の役割を持つ周ブレード３４とフロアー上などで拭き機能の役割を持つ毛ブラシ３５が各々の一方端に設けた基体７６を差し通して固定してある。
【００６０】
前記周ブレード３４の長手方向に対する前面および後面に十文字状になるように設けられた補助ブレード３５がある。また、毛ブラシ１８が屈曲したときに確実に補助ブレード３５の先端が当接するように構成した。
【００６１】
上記構成による作用は以下のとおりである。
【００６２】
回転ブラシ３６がフロアー上にて回転されたときに、毛ブラシ１８も若干屈曲する。このときに、補助ブレード３５が毛ブラシ１８に当接すると、第１の実施例に記載した様に、毛ブラシ１８の剛性力を向上させることになる。ただし、この場合には毛ブラシ１８は、被掃除面に触れて早い段階で補助ブレード３５に当接するために、特にフロアー上において、強い剛性力を得た毛ブラシ１８がフロアー上を強く擦るために、フロアー上を良く磨き、また回転ブラシ３６が正回転しているときに、毛ブラシ１８がフロアー面を強く蹴るために得られる自走性より、吸込具本体１をフロアー上で滑らかに操作できるものである。
【００６３】
（実施例６）
次に本発明の第６の実施例を図１１を用いて説明する。なお上記第１〜５の実施例と同一構成部品については同一符号を付して、その説明を省略する。
【００６４】
モーター１０にて回転駆動され、被掃除面上の塵埃を集塵する回転ブラシ３９には、基材２１に設けられた溝体７５に、じゅうたんパイル上から塵埃を剥離させる機能の役割を持つ周ブレード３７とフロアー上などで拭き機能の役割を持つ毛ブラシ１８が各々の一方端に設けた基体７６を差し通して固定してある。
【００６５】
前記周ブレード３７の長手方向に対する前面および後面に十文字状になるように設けられた補助ブレード３８が設けられている。
【００６６】
また、前記周ブレード３７に設けられた補助ブレード３８と、前記回転ブラシ３９が回転時に前記補助ブレード３８が隣接する前記毛ブラシ１８の全高の半分以下で当接するように設けた。
【００６７】
上記構成による作用は以下の通りである。
【００６８】
周ブレード３７が被掃除面に触れ、屈曲したときに補助ブレード３８は、周ブレード３７の前面のものが被掃除面に向かって突出した形状になる。特に畳上などにおいて、補助ブレード３８が畳の目を起こして、傷付けを起こすことがあるが、補助ブレード３８を毛ブラシ１８の高さｈのｈ／２以下で当接させるようにすると、周ブレード３７の回転時の半径より補助ブレード３８の先端部が突出しないため、被掃除面に傷を与えずに回転ブラシ３９を回転させて使用できるものである。
【００６９】
（実施例７）
次に本発明の第７の実施例を図１２を用いて説明する。なお上記第１〜６の実施例と同一構成部品については同一符号を付して、その説明を省略する。
【００７０】
モーター１０にて回転駆動され、被掃除面上の塵埃を集塵する回転ブラシ４１には、基材２１に設けられた溝体７５に、じゅうたんパイル上から塵埃を剥離させる機能の役割を持つ周ブレード４０とフロアー上などで拭き機能の役割を持つ毛ブラシ１８が各々の一方端に設けた基体７６を差し通して固定してある。
【００７１】
前記回転ブラシ４１の回転方向に対して少なくとも前記周ブレード４０の回転方向に対する前面部分と隣接する前記毛ブラシ１８の後面の間に挟まれる基材２１の表面部に接着固定された補助ブレード１６が、前記毛ブラシ１８の後面に向かって伸びるように設けてある。
【００７２】
また前記回転ブラシ４１の回転時に対する前記周ブレード４０の全長方向に対する前記周ブレード４０の両端部での先端外径Ｒ２よりも前記周ブレード４０の中央部先端外径Ｒ１を小さくして設けた。
【００７３】
上記構成による作用は以下の通りである。
【００７４】
被掃除面の表面部が吸込具本体１下面に張り付き、吸込室１２内に被掃除面の表面部入り込んだときに、回転ブラシ４１が回転していても、回転ブラシ４１の中央部付近にて周ブレード４０の回転時の直径が小さくなっているために、周ブレード４０が必要以上に被掃除面当たることがないために、被掃除面上に傷を与えることがないものである。また、フローリング上で回転ブラシ４１を回転させて吸込具本体１を操作したとする。このとき、吸込口７近傍で発生する吸気風は強く、吸込室１２の両端部での吸気風は弱まる。つまり、吸込具本体１とフローリングとの間に出来る隙間に風が流れ、その風の流れ具合は、吸込具本体１の前方および後方の中心部にから、左右両端部になるにつれて徐々に弱まる傾向がある。この風の流れは、当然、回転ブラシ４１の周ブレード４０とフローリングの隙間を通過して吸気される流れも存在するので、風が強い周ブレード４０の中央部では、周ブレード４０が一定で回転することで、この風の流れを一定で乱すため、風が唸るような音を発生させることがある。これを、周ブレード４０の中央部付近を短くすることで、風の流路を確保してやり、かつ、両端部では中央部より長くすることで、周ブレード４０とフローリングとの間を流れる風の量を均一かする事で、風の唸り音を防止する事が出来るものである。
【００７５】
また、前記のような被掃除面において、回転ブラシ４１を回転駆動させるために必要なトルクが小さく済み、モーター駆動ならモーターの劣化を防ぐことで耐久性を向上させ、タービン駆動なら回転ブラシ４１の回転数低下による塵埃の集塵性の低下を防げるものである。
【００７６】
（実施例８）
次に本発明の第８の実施例を図１３〜図１４を用いて説明する。なお上記第１〜７の実施例と同一構成部品については同一符号を付して、その説明を省略する。
【００７７】
回転ブラシ４６の回転軸中心部を成す基材４５に設けられた溝体７５と共に、基材４５を略中央部にてＶ字形状になるように捻るように設けた。
【００７８】
溝体７５がＶ字上に設けられたことで、じゅうたんパイル上から塵埃を剥離させる機能の役割を持つ周ブレード４２とフロアー上などで拭き機能の役割を持つ毛ブラシ４６は、各々の一方端に設けた基体７６を溝体７５に沿って差し通して固定されるために、Ｖ字形状にて構成される。
【００７９】
上記構成による作用は以下の通りである。
【００８０】
被掃除面上の塵埃を回転ブラシ４６でかき揚げたときに、回転ブラシ４６の中心に向かってはじき飛ばす作用が働き、直接、塵埃が吸引され、極めて効率的な集塵作業が行えるものである。
【００８１】
（実施例９）
次に本発明の第９の実施例を図１５〜図１６を用いて説明する。なお上記第１〜８の実施例と同一構成部品については同一符号を付して、その説明を省略する。
【００８２】
後部に電動送風機４７を配した電動送風機室４８と、前部には塵埃を集塵する集塵袋４９を配置した集塵室５０と、前記集塵室５０と外気を連通させる集塵口５１を形成する本体ケース下５２と、前記電動送風機室４８を覆う本体ケース上５３と、前記集塵室５０の上方開口部を覆う蓋体５４からなる電気掃除機本体５５に上記実施例１〜８のいずれかに記載の吸込具本体１を集塵口５１と連通して接続するために、軟性材にて構成されるホース５７と、ホース５７の一端に設けられた接続体５６が、集塵口５１に接続されるように設けられている。
【００８３】
また、ホース５７の他端には掃除機本体５５を制御する手元部５８が設けられている。更に手元部５８から吸込具本体１を接続するために延長管５９が設けられている。
【００８４】
上記構成による作用は以下の通りである。
【００８５】
吸込具本体１をセットした電気掃除機では、被掃除面を選ばず集塵性および軽快な清掃作業が行いえるものである。
【００８６】
【発明の効果】
本発明の請求項１記載の発明によれば、補助ブレードが毛ブラシに当接したことにより、毛ブラシの見かけ上の剛性力を向上させて、且つ周ブレードを補助ブレードと別に設けることで、回転ブラシが正回転時におけるパイルを前方から後方に押しやる力を向上させ、自走性を向上させると共にかき揚げ力の強化による集塵性の向上を行ったものである。
【００８７】
また、フロアー上において毛ブラシにより拭き掃除が可能となり、フロアー面およびパイル面ともに使用できるものである。
【００８８】
本発明の請求項２記載の発明によれば、請求項１記載の吸込具本体をセットした電気掃除機では、被掃除面を選ばず集塵性および軽快な清掃作業の行えるものである。
【図面の簡単な説明】
【図１】  本発明の第１の実施例を示す電気掃除機用吸込具の上面図
【図２】  図１のＡ−Ａ断面図
【図３】  図１のＢ−Ｂ断面図
【図４】  （ａ）同電気掃除機用吸込具の回転ブラシの上面図
（ｂ）同図（ａ）のＣ−Ｃ断面図
【図５】  同電気掃除機用吸込具の回転ブラシの分解斜視図
【図６】  同電気掃除機用吸込具の回転ブラシの作用説明図
【図７】  （ａ）本発明の第２の実施例を示す電気掃除機用吸込具の回転ブラシの分解斜視図
（ｂ）同図（ａ）のＤ矢視図
【図８】  （ａ）本発明の第３の実施例を示す電気掃除機用吸込具の回転ブラシの分解斜視図
（ｂ）同図（ａ）のＥ矢視図
【図９】  本発明の第４の実施例を示す電気掃除機用吸込具の回転ブラシの要部断面図
【図１０】  本発明の第５の実施例を示す電気掃除機用吸込具の回転ブラシの要部断面図
【図１１】  本発明の第６の実施例を示す電気掃除機用吸込具の回転ブラシの要部断面図
【図１２】  （ａ）本発明の第７の実施例を示す電気掃除機用吸込具の回転ブラシの上面図
（ｂ）同図（ａ）のＧ−Ｇ断面図
（ｃ）同図（ａ）のＦ−Ｆ断面図
【図１３】  （ａ）本発明の第８の実施例を示す電気掃除機用吸込具の回転ブラシの上面図
（ｂ）同図（ａ）のＨ−Ｈ断面図
【図１４】  同電気掃除機用吸込具の回転ブラシを示す分解斜視図
【図１５】  本発明の第９の実施例を示す電気掃除機本体の断面図
【図１６】  同電気掃除機の全体側面図
【図１７】  従来の電気掃除機用吸込具の上面図
【図１８】  図１７のＪ−Ｊ断面図
【図１９】  図１７のＫ−Ｋ断面図
【図２０】  （ａ）同電気掃除機用吸込具の回転ブラシを示す分解斜視図
（ｂ）同図（ａ）のＬ矢示図
【図２１】  （ａ）他の従来例を示す電気掃除機用吸込具の他形状を示す斜視図
（ｂ）同図（ａ）のＭ矢示図
（ｃ）同ブレードの斜視図
【符号の説明】
１３  回転ブラシ
１６  補助ブレード
１７  周ブレード
１８  毛ブラシ
２１  基材
【図１】
0004085466.tif 000002
【図２】
0004085466.tif 000003
【図３】
0004085466.tif 000004
【図４】
0004085466.tif 000005
【図５】
0004085466.tif 000006
【図６】
0004085466.tif 000007
【図７】
0004085466.tif 000008
【図８】
0004085466.tif 000009
【図９】
0004085466.tif 000010
【図１０】
0004085466.tif 000011
【図１１】
0004085466.tif 000012
【図１２】
0004085466.tif 000013
【図１３】
0004085466.tif 000014
【図１４】
0004085466.tif 000015
【図１５】
0004085466.tif 000016
【図１６】
0004085466.tif 000017
【図１７】
0004085466.tif 000018
【図１８】
0004085466.tif 000019
【図１９】
0004085466.tif 000020
【図２０】
0004085466.tif 000021
【図２１】
0004085466.tif 000022